(57)【要約】      （修正有）【課題】運搬中の遊泳水漏れや酸素不足を防止でき、活魚の出し入れが容易で、低コストな活魚移送容器を提供する。【解決手段】活魚移送容器Ａは、容器本体１０の側壁１の内壁に周設した内周段２と、内周段２より上方の側壁１に周設される連通穴１１と、内周段２より下方の側壁１に配設される吐出水栓３と、内周段２に配設される磁石４と、中蓋６に配設される磁石５と、中蓋６の中心穴６１に嵌着したキャップ６２と、遊泳水８に浮かせる浮板とを備える。この活魚移送容器Ａは、活魚８の出し入れが簡単で、通気性に優れ、運搬中の酸素不足を防止でき、低コストにすることができる。【選択図】図２
0003173704.tif 000002
【実用新案登録請求の範囲】
【請求項１】
側壁上部の内壁に内周段を周設し、該内周段より上方の側壁に複数の連通穴を周設し、内部に遊泳水と活魚とを入れて運搬する円筒状の活魚移送容器であって、
前記内周段より下方の側壁に配設される吐出水栓と、
固定手段により、前記内周段の上面に固定される円板状で中心穴付の中蓋と、
網目を有し、前記中心穴に嵌着されるキャップと、
前記遊泳水に浮き、容器内径より若干小径の円板状の浮板とを具備することを特徴とする活魚移送容器。
【請求項２】
側壁上部の内壁に内周段を周設し、該内周段より上方の側壁に複数の連通穴を周設し、内部に遊泳水と活魚とを入れて運搬する円筒状の活魚移送容器であって、
前記内周段より下方の側壁に配設される吐出水栓と、
前記内周段の上面に複数個、周設される一方極性の磁石と、
他方極性の磁石を複数個、蓋縁下面に周設し、前記内周段の上面に磁着される円板状で中心穴付の中蓋と、
網目を有し、前記中心穴に嵌着されるキャップと、
前記遊泳水に浮き、容器内径より若干小径の円板状の浮板とを具備することを特徴とする活魚移送容器。
【請求項３】
側壁上部の内壁に内周段を周設し、該内周段より上方の側壁に複数の連通穴を周設し、内部に遊泳水と活魚とを入れて運搬する円筒状の活魚移送容器であって、
前記内周段より下方の側壁に配設される吐出水栓と、
前記内周段の上面に複数個、周設される磁石と、
前記内周段の上面に磁着される円板状で鉄製の中心穴付の中蓋と、
網目を有し、前記中心穴に嵌着されるキャップと、
前記遊泳水に浮き、容器内径より若干小径の円板状の浮板とを具備することを特徴とする活魚移送容器。
【請求項４】
前記浮板の直径は、（容器内径／２）＋（中心穴の直径／２）であることを特徴とする請求項１乃至請求項３の何れか１項に記載の活魚移送容器。
【請求項５】
下方へいく程、内径が小さくなっていく漏斗状の波返円筒を、中心穴近傍の中蓋下面に取り付けたことを特徴とする請求項１乃至請求項３の何れか１項に記載の活魚移送容器。
【考案の詳細な説明】
【技術分野】
【０００１】
本考案は、鰻や泥鰌等の活魚を生きたまま運搬するための活魚移送容器に関する。
【背景技術】
【０００２】
生産業者は、幼魚や稚魚を生きた状態で養殖業者に運送する必要がある。また、養殖業者は、成魚を生きた状態で活魚料理店等に運送する必要がある。
【０００３】
幼魚や稚魚を販売業者から養殖業者に運送する場合や、成魚を養殖業者が活魚料理店等に運送する場合には、特許文献１〜３に記載の様に、ビニール袋内に魚と遊泳水を入れて酸素で膨らませたもの（移送用荷物）を使用していた。
【先行技術文献】
【特許文献】
【０００４】
【特許文献１】実開平３−１６８６５号公報
【特許文献２】特開平７−１８４５１１号公報
【特許文献３】特開平２−３０８７４０号公報
【考案の概要】
【考案が解決しようとする課題】
【０００５】
上記特許文献１〜３に記載の技術（ビニール袋内に魚と遊泳水を入れて酸素で膨らませたもの）の移送用荷物は、作るのに手間と時間がかかるとともに、運送中に破れ易いという問題がある。
なお、運送車両に設置した循環濾過式の水槽内に、魚と遊泳水とを入れて運送する方法も考えられるが、大がかりであるとともに、製造コストが高くつく。
【０００６】
本考案の目的は、運搬中の遊泳水漏れや酸素不足を防止でき、活魚の出し入れが容易で、低コストな活魚移送容器の提供にある。
【課題を解決するための手段】
【０００７】
（請求項１について）
内部に遊泳水と活魚とを入れて運搬する円筒状の活魚移送容器は、側壁上部の内壁に内周段を周設し、内周段より上方の側壁に複数の連通穴を周設している。
吐出水栓は、内周段より下方の側壁に配設されている。
円板状で中心穴付の中蓋は、固定手段により、内周段の上面に固定されている。また、中心穴には網目を有するキャップが嵌着されている。
遊泳水に浮く円板状の浮板は、容器内径より若干小径である。
【０００８】
活魚移送容器は、以下の様に使用する。
固定手段を解除して中蓋を内周段から取り外し、容器内に遊泳水と活魚とを入れる。
この際、吐出水栓を開放状態にしておく。なお、円板状の浮板は、容器内径より若干小径であるので、活魚が浮板の端から下方の遊泳水へ回り込むため、容器外へ浮板を取り出す必要がなく、活魚を入れるのが容易である。
【０００９】
内周段より下方の側壁に吐出水栓を配設しているので、遊泳水と活魚とを入れる際に、吐出水栓を開放状態にしておけば、余分な遊泳水を活魚移送容器から吐出させることができる。これにより、容器内の水量を適量にすることができる。
【００１０】
遊泳水と活魚を入れ終わったら、中心穴にキャップを嵌着した中蓋を固定手段により内周段の上面に固定する。
【００１１】
運搬時の振動が活魚移送容器に伝わって遊泳水が波立つと、遊泳水とともに浮板が浮き上がって中心穴を下側から塞ぐ（容器内径より浮板が若干小径であるため）ので、波立って跳ねた遊泳水が中心穴へ入るのを防ぐため、運搬中の遊泳水漏れを防止できる。
【００１２】
網目を有するキャップを中蓋の中心穴に嵌着し、活魚移送容器の側壁に複数の連通穴を周設しているため、運搬中の更なる遊泳水漏れ防止用に活魚移送容器の上端に上蓋を取り付けたとしても通気性に優れ、運搬中の酸素不足を防止できる。
【００１３】
活魚移送容器は、特殊な部品を使用していないため、低コストである。また、活魚の取り出しも容易である。
【００１４】
（請求項２について）
内部に遊泳水と活魚とを入れて運搬する円筒状の活魚移送容器は、側壁上部の内壁に内周段を周設し、内周段より上方の側壁に複数の連通穴を周設している。
吐出水栓は、内周段より下方の側壁に配設されている。
内周段の上面に、一方極性の磁石を複数個、周設している。
円板状で中心穴付の中蓋は、他方極性の磁石を複数個、蓋縁下面に周設し、内周段の上面に磁着されている。
遊泳水に浮く円板状の浮板は、容器内径より若干小径である。
【００１５】
活魚移送容器は、以下の様に使用する。
中蓋を引っ張り上げて内周段から取り外し、容器内に遊泳水と活魚とを入れる。
この際、吐出水栓を開放状態にしておく。なお、円板状の浮板は、容器内径より若干小径であるので、活魚が浮板の端から下方の遊泳水へ回り込むため、容器外へ浮板を取り出す必要がなく、活魚を入れるのが容易である。
【００１６】
内周段より下方の側壁に吐出水栓を配設しているので、遊泳水と活魚とを入れる際に、吐出水栓を開放状態にしておけば、余分な遊泳水を活魚移送容器から吐出させることができる。これにより、容器内の水量を適量にすることができる。
【００１７】
遊泳水と活魚を入れ終わったら、中心穴にキャップを嵌着した中蓋を磁石の磁力により内周段の上面に固定する。
【００１８】
運搬時の振動が活魚移送容器に伝わって遊泳水が波立つと、遊泳水とともに浮板が浮き上がって中心穴を下側から塞ぐ（容器内径より浮板が若干小径であるため）ので、波立って跳ねた遊泳水が中心穴へ入るのを防ぐため、運搬中の遊泳水漏れを防止できる。
【００１９】
網目を有するキャップを中蓋の中心穴に嵌着し、活魚移送容器の側壁に複数の連通穴を周設しているため、運搬中の更なる遊泳水漏れ防止用に活魚移送容器の上端に上蓋を取り付けたとしても通気性に優れ、運搬中の酸素不足を防止できる。
【００２０】
活魚移送容器は、特殊な部品を使用していないため、低コストである。また、活魚の取り出しも容易である。
【００２１】
（請求項３について）
内部に遊泳水と活魚とを入れて運搬する円筒状の活魚移送容器は、側壁上部の内壁に内周段を周設し、内周段より上方の側壁に複数の連通穴を周設している。
吐出水栓は、内周段より下方の側壁に配設されている。
内周段の上面に、磁石を複数個、周設している。
円板状で鉄製の中心穴付の中蓋は、内周段の上面に磁着されている。
遊泳水に浮く円板状の浮板は、容器内径より若干小径である。
【００２２】
活魚移送容器は、以下の様に使用する。
中蓋を引っ張り上げて内周段から取り外し、容器内に遊泳水と活魚とを入れる。
この際、吐出水栓を開放状態にしておく。なお、円板状の浮板は、容器内径より若干小径であるので、活魚が浮板の端から下方の遊泳水へ回り込むため、容器外へ浮板を取り出す必要がなく、活魚を入れるのが容易である。
【００２３】
内周段より下方の側壁に吐出水栓を配設しているので、遊泳水と活魚とを入れる際に、吐出水栓を開放状態にしておけば、余分な遊泳水を活魚移送容器から吐出させることができる。これにより、容器内の水量を適量にすることができる。
【００２４】
遊泳水と活魚を入れ終わったら、中心穴にキャップを嵌着した鉄製の中蓋を内周段の上面に磁着する。
【００２５】
運搬時の振動が活魚移送容器に伝わって遊泳水が波立つと、遊泳水とともに浮板が浮き上がって中心穴を下側から塞ぐ（容器内径より浮板が若干小径であるため）ので、波立って跳ねた遊泳水が中心穴へ入るのを防ぐため、運搬中の遊泳水漏れを防止できる。
【００２６】
網目を有するキャップを中蓋の中心穴に嵌着し、活魚移送容器の側壁に複数の連通穴を周設しているため、運搬中の更なる遊泳水漏れ防止用に活魚移送容器の上端に上蓋を取り付けたとしても通気性に優れ、運搬中の酸素不足を防止できる。
【００２７】
活魚移送容器は、特殊な部品を使用していないため、低コストである。また、活魚の取り出しも容易である。
【００２８】
（請求項４について）
浮板の直径を、（容器内径／２）＋（中心穴の直径／２）に設定する。
（容器内径／２）＋（中心穴の直径／２）より浮板の直径が長いと、活魚が浮板の端から下方の遊泳水へ回り込むことが困難になるため、容器外へ浮板を取り出す必要が生じる。
また、（容器内径／２）＋（中心穴の直径／２）より浮板の直径が短いと、運搬時の振動が活魚移送容器に伝わって遊泳水が波立った際に、遊泳水とともに浮板が浮き上がっても、中心穴を下側から充分塞ぐことができなくなる。
【００２９】
（請求項５について）
下方へいく程、内径が小さくなっていく漏斗状の波返円筒を、中心穴近傍の中蓋下面に取り付けている。
運搬時の振動が活魚移送容器に伝わり、波立って跳ねた遊泳水が波返円筒の外壁面に沿って案内されて落水するので、遊泳水が中心穴へ入るのを防ぎ、運搬中の遊泳水漏れを防止できる。
なお、遊泳水とともに浮き上がった浮板は、波返円筒の下面開口を下側から塞ぐので、波立って跳ねた遊泳水が中心穴へ入るのを防げ、運搬中の遊泳水漏れを防止できる。
【図面の簡単な説明】
【００３０】
【図１】本考案の実施例１に係る活魚移送容器の斜視図である。
【図２】その活魚移送容器の断面図である。
【図３】（ａ）は浮板が最右端に変位した状態を示す説明図であり、（ｂ）は浮板が最左端に変位した状態を示す説明図である。
【図４】（ａ）は吐出水栓の配設位置が上方過ぎる場合の説明図であり、（ｂ）は吐出水栓の配設位置が下方過ぎる場合の説明図である。
【図５】漏斗状の波返円筒を、中心穴近傍の中蓋下面に取り付けた状態を示す、本考案の実施例２に係る活魚移送容器の説明図である。
【考案を実施するための形態】
【００３１】
活魚移送容器は、容器本体の側壁上部の内壁に周設した内周段と、この内周段より上方の側壁に周設される複数の連通穴と、内周段より下方の側壁に配設される吐出水栓と、内周段に配設される磁石と、中蓋に配設される磁石と、中蓋の中心穴に嵌着したキャップと、遊泳水に浮かせる浮板とを備える。
この活魚移送容器は、活魚の出し入れが簡単で、通気性に優れ、運搬中の酸素不足を防止でき、低コストである。
【実施例１】
【００３２】
本考案の実施例１（請求項１、２、４に対応）に係る、活魚移送容器Ａを、図１〜図４に基づいて説明する。
活魚移送容器Ａは、容器本体１０の側壁１の上部の内壁に周設した内周段２と、この内周段２より上方の側壁１に周設される複数の連通穴１１と、内周段２より下方の側壁１に配設される吐出水栓３と、内周段２に配設される磁石４と、中蓋６に配設される磁石５と、中蓋６の中心穴６１に嵌着されるキャップ６２と、遊泳水８に浮かせる浮板７とを備える。
【００３３】
容器本体１０は、高さおよび直径が数十ｃｍの有底円筒体であり、プラスチック製である。なお、１２は上蓋である。
内周段２（ゴム製品）は、側壁１の上部（本実施例では、容器本体１０の上開口から８ｃｍ下）の内壁に１ｃｍ幅で周設されている。なお、内周段２の周設位置は、上開口から５ｃｍ〜１０ｃｍの場所が好適である。
【００３４】
連通穴１１は、直径が５ｍｍであり、内周段２より数ｃｍ上方の側壁１に、等角度で１０個穿設されている。なお、連通穴１１の直径は、活魚８１が抜け出ない大きさ（１ｍｍ〜７ｍｍ）に変更可能である。
【００３５】
吐出水栓３は、蛇口付の水排出口であり、内周段２の下面から８ｃｍ下方の側壁１に配設されている。この吐出水栓３より下側に位置する容器本体１０が遊泳域ｓである。なお、吐出水栓３の配設位置は、内周段２の下面から５ｃｍ〜１０ｃｍの場所が好適である。  図４の（ａ）の様に、吐出水栓３の配設位置が上方過ぎると、遊泳域ｓが過大になり過ぎ、中心穴６１から遊泳水８が漏れ出易い。
また、図４の（ｂ）の様に、吐出水栓３の配設位置が下方過ぎると、遊泳域ｓが過少になり過ぎ、遊泳水８が大きく波立ち易い。
【００３６】
上側Ｎ極の磁石４は、接着剤により、内周段２の上面の四カ所に貼着されている。
下側Ｓ極の磁石５は、接着剤により、中蓋６の蓋縁下面の四カ所に貼着されている。
【００３７】
キャップ６２は、網状の円筒容器であり、開口を下側にして、中蓋６の下側から中心穴６１に取り付けられている。なお、キャップ６２の基部が臨む中心穴６１の穴壁面には、中蓋６を越えて中蓋６の上面に滞留した遊泳水８を遊泳域ｓに戻すための円弧状穴６４が開けられている。  
【００３８】
図３の（ａ）、（ｂ）に示す如く、遊泳域ｓの遊泳水８に浮く円板状の浮板７の直径ｄは、寸法ｅ、即ち、（容器内径／２）＋（中心穴６１の直径／２）に設定している。
寸法ｅより浮板７の直径ｄが長いと、遊泳水８とともに活魚８１を容器本体１０内へ入れる際に、活魚８１が浮板７の端から下方の遊泳水８へ回り込み難くなるため、容器外へ浮板７を取り出す必要が生じる。
また、寸法ｅより浮板７の直径ｄが短いと、運搬時の振動が活魚移送容器Ａに伝わって遊泳水８が波立った際に、遊泳水８とともに浮板７が浮き上がっても、中心穴６１を下側から充分塞ぐことができなくなる。
遊泳水８は、活魚８１が淡水魚の場合には真水であり、海水魚の場合には海水である。  
【００３９】
つぎに、活魚移送容器Ａの使用方法、および利点について述べる。
上蓋１２を外し、中蓋７を引っ張り上げて内周段２から取り外し、容器本体１０内に遊泳水８と活魚８１とを入れる。
この際、吐出水栓３を開放状態にしておく。なお、浮板７の直径ｄ＝寸法ｅ、即ち、（容器内径／２）＋（中心穴６１の直径／２）にしているので、活魚８１が浮板７の端から下方の遊泳水８へ回り込むため、容器本体１０の外へ浮板７を取り出す必要がなく、活魚８１を入れるのが容易である。
【００４０】
内周段２より下方の側壁１に吐出水栓３を配設しているので、遊泳水８と活魚８１とを入れる際に、吐出水栓３を開放状態にしておけば、余分な遊泳水８を活魚移送容器Ａから吐出させることができる。これにより、容器本体１０内の水量を適量にすることができる。
【００４１】
遊泳水８と活魚８１を入れ終わったら、中心穴６１にキャップ６２を嵌着した中蓋６を磁石４、５の磁力により内周段２の上面に固定する。最後に上蓋１２を嵌める。
【００４２】
運搬時の振動が活魚移送容器Ａに伝わって遊泳水８が波立つと、遊泳水８とともに浮板７が浮き上がり、浮板７がどの位置にあっても中心穴６１を下側から塞ぐ（浮板７の直径ｄ＝寸法ｅ）ので、波立って跳ねた遊泳水８が中心穴６１へ入るのを防ぎ、運搬中の遊泳水漏れを防止できる。
【００４３】
網目を有するキャップ６２を中蓋６の中心穴６１に嵌着し、活魚移送容器Ａの側壁１に複数の連通穴１１を周設しているため、遊泳水漏れ防止用に活魚移送容器Ａの上端に上蓋１２を取り付けていても通気性に優れ、運搬中の酸素不足を防止できる。
【００４４】
活魚移送容器Ａは、特殊な部品を使用していないため、低コストである。
また、活魚８１の取り出しは、以下の様にして行えば良いので簡単である。
上蓋１２を外し、中蓋６を引っ張り上げて内周段２から取り外し、浮板７を取り出した後に、活魚８１を取り出す。
【実施例２】
【００４５】
つぎに、本考案の実施例２（請求項２、５に対応）に係る、活魚移送容器Ｂを図５に基づいて説明する。
活魚移送容器Ｂは、下記の点が活魚移送容器Ａと異なる。
下方へいく程、内径が小さくなっていく漏斗状の波返円筒９を、中心穴６１の近傍の中蓋６の下面に取り付けている。
【００４６】
運搬時の振動が活魚移送容器Ｂに伝わって波立った遊泳水８が波返円筒９の外壁面に沿って矢印ｊに従って案内されて落水するので、遊泳水８が中心穴６１へ入るのを防ぎ、運搬中の遊泳水漏れを防止できる。
なお、遊泳水８の矢印ｋの動きによって浮き上がった浮板７は、波返円筒９の下面開口９１を下側から塞ぐので、波立って跳ねた遊泳水８が中心穴６１へ入るのを防ぐことができ、運搬中の遊泳水漏れを防止できる。
【００４７】
夏場において、中蓋６および上蓋１２による空間に、氷等の冷却剤を入れておけば、遊泳水８の水温上昇を防ぐことができる。
【００４８】
本考案は、上記実施例以外に、つぎの実施態様を含む。
ａ．実施例１において、円板状の中蓋６を鉄製に替えれば、中蓋６の蓋縁下面の磁石５を廃することができる（請求項３に対応）。
【００４９】
ｂ．上蓋１２は、なくても良い。
ｃ．活魚８１は、鰻や泥鰌等の食品用以外に、メダカや金魚等の観賞魚でも良い。
ｄ．円板状で中心穴６１付の中蓋６を、内周段２の上面に固定する固定手段は、磁力以外に、１対の面ファスナーや凹凸部材で行っても良い（請求項１に対応）。
【符号の説明】
【００５０】
Ａ、Ｂ  活魚移送容器
１  側壁
２  内周段
３  吐出水栓
４  上側Ｎ極の磁石（一方極性の磁石）
５  下側Ｓ極の磁石（他方極性の磁石）
６  中蓋
７  浮板
８  遊泳水
９  波返円筒
１１  連通穴
６１  中心穴
６２  キャップ
８１  活魚
【図１】
0003173704.tif 000003
【図２】
0003173704.tif 000004
【図３】
0003173704.tif 000005
【図４】
0003173704.tif 000006
【図５】
0003173704.tif 000007